(57)【要約】      （修正有）【課題】回収物以外の物の投入を抑制するとともに、利用者が回収物を投入する際に触れる必要のないリサイクルボックスを提供する。【解決手段】リサイクルボックスは、箱状の筐体２と、筐体の天壁２０ｅ又は側壁２０ｃ、２１に設けられて筐体の内外を連通する孔Ｐと、投入孔３を有し筐体の孔Ｐが設けられる壁に回転可能に取付けられて、孔に投入孔を対向させる開放位置では孔と投入孔を連通させるとともに、閉塞位置では孔に投入孔を対向させずに孔を閉塞する回転板４と、回転板を閉塞位置へ付勢する付勢手段とを備える。【選択図】図１
0003231275.tif 000002
【実用新案登録請求の範囲】
【請求項１】
箱状の筐体と、
前記筐体の天壁又は側壁に設けられて前記筐体の内外を連通する孔と、
投入孔を有し前記筐体の前記孔が設けられる壁に回転可能に取付けられて、前記孔に前記投入孔を対向させる開放位置では前記孔と前記投入孔を連通させるとともに、閉塞位置では前記孔に前記投入孔を対向させずに前記孔を閉塞する回転板と、
前記回転板を前記閉塞位置へ付勢する付勢手段とを備える
ことを特徴とするリサイクルボックス。
【請求項２】
前記回転板と前記孔の間に隙間が形成されている
ことを特徴とする請求項１に記載のリサイクルボックス。
【請求項３】
前記回転板の前記投入孔を前記筐体側から囲うとともに前記隙間を埋める筒部材を有する
ことを特徴とする請求項２に記載のリサイクルボックス。
【請求項４】
前記回転板の背面側又は前記筐体のいずれか一方に設けられる突起と、
前記回転板の背面側又は前記筐体のいずれか他方に設けられ、前記回転板が前記開放位置にある際に、前記突起に当接して前記回転板の順方向の回転を規制する第一ストッパとを有する
ことを特徴とする請求項１から３のいずれか一項に記載のリサイクルボックス。
【請求項５】
前記第一ストッパ又は前記突起のいずれか一方は、前記第一ストッパ又は前記突起のいずれか他方に当接する際の衝撃を緩和するクッションを有する
ことを特徴とする請求項４に記載のリサイクルボックス。
【請求項６】
前記回転板の背面側又は前記筐体のいずれか前記第一ストッパが設けられている方に設けられ、前記回転板が前記閉塞位置にある際に、前記突起に当接して前記回転板の逆方向の回転を規制する第二ストッパを有する
ことを特徴とする請求項４又は５に記載のリサイクルボックス。
【請求項７】
前記付勢手段が前記回転板の回転中心から偏心した位置に取付けられて前記回転板を閉塞位置へ戻す重りである
ことを特徴とする請求項１から６のいずれか一項に記載のリサイクルボックス。
【請求項８】
前記回転板が前記閉塞位置から前記開放位置へ回転する際の回転角度は９０度から１８０度である
ことを特徴とする請求項１から７のいずれか一項に記載のリサイクルボックス。
【請求項９】
前記筐体の前記側壁の一つが開閉可能な扉であって、
前記孔は前記扉に形成されており、
前記回転板は前記扉に取付けられる
ことを特徴とする請求項１から８のいずれか一項に記載のリサイクルボックス。
【考案の詳細な説明】
【技術分野】
【０００１】
本考案はリサイクルボックスに関する。
【背景技術】
【０００２】
リサイクルボックスは、一般的に、鉄道の駅構内や公園等の広場や繁華街の通り沿いに設置され、空になったペットボトルやビン、カン等の資源ゴミ等の回収物を回収するのに利用される。
【０００３】
従来のリサイクルボックスは、例えば特許文献１に示すように、箱状の筐体と、当該筐体の内外を連通する投入口とを備えており、投入口を通じて投入された回収物を筐体内に設置された回収容器に受け入れるものが知られている。
【先行技術文献】
【特許文献】
【０００４】
【特許文献１】特開２０２０−０３７４７６号公報
【考案の概要】
【考案が解決しようとする課題】
【０００５】
しかしながら、従来のリサイクルボックスでは、資源ゴミの種類毎に分別して回収する必要があるが、投入口が常に開いた状態であるため、気軽に回収対象の資源ゴミ以外の物も投入できてしまう。そのため、資源ゴミの回収作業者は回収対象の資源ゴミとそれ以外のゴミ等を手作業で分別しなければならない問題があった。
【０００６】
この問題を解決する手段としては、筐体に投入口を開閉可能な蓋を設けて、利用者自身に投入口を開け閉めさせることで、リサイクルボックスに物を投入する心理的なハードルを上げて、リサイクルボックスに回収物以外の物が投入されるのを抑制する方法が考えられる。
【０００７】
ところが、利用者自身が蓋を開け閉めするとなると、不特定多数の人が蓋に触れることになるため衛生上の問題がある。
【０００８】
そこで、本考案の目的は、回収物以外の物の投入を抑制しつつ、利用者が触れる必要のないリサイクルボックスを提供することである。
【課題を解決するための手段】
【０００９】
上記の目的を達成させるため、本考案のリサイクルボックスは、箱状の筐体と、前記筐体の天壁又は側壁に設けられて前記筐体の内外を連通する孔と、投入孔を有し前記筐体の前記孔が設けられる壁に回転可能に取付けられて前記孔に前記投入孔を対向させる開放位置では前記孔と前記投入孔を連通させるとともに閉塞位置では前記孔に前記投入孔を対向させずに前記孔を閉塞する回転板と、前記回転板を前記閉塞位置へ付勢する付勢手段とを備えることを特徴とする。この構成によると、閉塞位置にある回転板の連通孔に回収物を挿入すれば、回収物を取手にして回転板を開放位置まで回すことができる。
【考案の効果】
【００１０】
本考案のリサイクルボックスによれば、回収物以外の物の投入を抑制するとともに、利用者が回収物を投入する際にリサイクルボックスに触れる必要がないので感染対策面でも優れる。
【図面の簡単な説明】
【００１１】
【図１】扉が閉じた状態の本実施の形態のリサイクルボックスを示す全体斜視図である。
【図２】扉が開いた状態の本実施の形態のリサイクルボックスを示す全体斜視図である。
【図３】本実施の形態のリサイクルボックスにおける閉塞部材の正面側斜視図である。
【図４】本実施の形態のリサイクルボックスにおける筐体の扉と回転板の分解斜視図である。
【図５】本実施の形態のリサイクルボックスにおける回転板の背面側斜視図である。
【図６】本実施の形態のリサイクルボックスの一部を拡大して示す縦断面図である。
【図７】回転板が閉塞位置にある状態のリサイクルボックスの一部を拡大して概念的に示す図である。
【図８】回転板が開放位置にある状態のリサイクルボックスの一部拡大して概念的に示す図である。
【図９】利用者が回収物を投入する使用状態の本実施の形態のリサイクルボックスを示す全体斜視図である。
【考案を実施するための形態】
【００１２】
以下に、図面を参照しながら本実施の形態について説明する。いくつかの図面を通して付された同じ符号は同じ部品を示す。
【００１３】
本実施の形態に係るリサイクルボックス１は、図１から図９に示すように、箱状の筐体２と、筐体２の一部の側壁としての扉２１に設けられて筐体２の内外を連通する孔Ｐと、投入孔３を有し筐体２の孔Ｐが設けられる扉２１に回転可能に取付けられて、孔Ｐに投入孔３を対向させる開放位置では孔Ｐと投入孔３を連通させるとともに、閉塞位置では孔Ｐに投入孔３を対向させずに孔Ｐを閉塞する回転板４と、回転板４を閉塞位置へ付勢する付勢手段とを備える。よって、本実施の形態のリサイクルボックス１では、閉塞位置にある回転板４を開放位置まで回転させると、投入孔３が筐体２内に連通するので、利用者が回収物Ａを筐体２の内部に投入できるようになっている。
【００１４】
以下、本実施の形態のリサイクルボックス１の各部について詳細に説明する。本実施の形態の筐体２は、図１，図２に示すように、箱型であって正面が開放されて形成される開放口Ｏを有する筐体本体２０と、筐体本体２０にヒンジ結合されて開放口Ｏを開閉可能であって筐体２の正面の側壁として機能する扉２１とを備える。
【００１５】
本実施の形態の筐体本体２０は、図１，図２に示すように、四角状の底壁２０ａと、底壁２０ａの三辺からそれぞれ起立する三つの側壁２０ｂ，２０ｃ，２０ｄと、これらの側壁２０ｂ，２０ｃ，２０ｄの上端に連結される天壁２０ｅと、底壁２０ａの前後左右の角部にそれぞれ設けられる四つの脚部２０ｆとを備えており、正面に開放口Ｏを有する箱型に形成されて、地面に設置される。
【００１６】
本実施の形態の扉２１は、図１，図２に示すように、円形の開口部２２ａを有する扉本体２２と、扉本体２２の背面に固定されて開口部２２ａを閉塞するとともに孔Ｐを有する閉塞部材２３とを備える。そして、図２に示すように、扉本体２２が、筐体本体２０の図中右側の右側側壁２０ｂの開放口Ｏ側端に蝶番３０を介してヒンジ結合されているので、本実施の形態の扉２１は外開きの開き戸となっている。よって、本実施の形態の扉２１は、筐体２の正面側の側壁となっており、筐体本体２０とともに筐体２を構成している。
【００１７】
なお、本実施の形態では、筐体２の正面側の側壁を一枚の扉２１で構成しているが、筐体２の正面側の側壁は、筐体本体２０の開放口Ｏを閉塞するとともに開口を有する壁板と、当該壁板の開口を開閉可能な扉板とで構成されてもよい。このようにする場合は、上記壁板又は上記扉板のいずれか一方に孔Ｐと後述する回転板４を設ければよい。
【００１８】
また、筐体２の内部には、回収物Ａを収容可能な回収容器１０が設置されている。なお、本例では、筐体２内に、上面が開かれた箱型の回収容器１０が設置されているが、回収容器１０に代えて、例えば、筐体本体２０の左右の側壁２０ｂ，２０ｃの内側にフックを設けて、当該フックにビニール袋を引っ掛けるなどして、ビニール袋を設置しておいてもよい。
【００１９】
戻って、孔Ｐは、図１，図２に示すように、円形であって、扉２１を閉じた際に、回収容器１０よりも上方となる位置に設けられており、孔Ｐを通じて投入された回収物Ａを回収容器１０に回収できるようになっている。なお、本実施の形態では、孔Ｐは閉塞部材２３に設けられているが、扉本体２２に直接設けられていてもよい。また、孔Ｐの形状は、回収物Ａを通すことのできる限りにおいて特に限定されない。
【００２０】
また、図１に示すように、扉本体２２の開口部２２ａの図中左上方には、ペットボトルのラベル投入用の円弧状の円弧孔２２ｂとペットボトルのキャップ投入用の丸孔２２ｃが斜めに並べて配置されて設けられている。そして、図示しないが、筐体本体２０の左側側壁２０ｃの内側には、ゴミ袋を吊り下げ可能な吊下げ枠が設けられており、この吊下げ枠は、扉２１を閉じた状態で円弧孔２２ｂと丸孔２２ｃの下方にゴミ袋が配置されるように設けられている。そのため、ペットボトルのラベルやキャップが円弧孔２２ｂと丸孔２２ｃに投入されると、ラベルやキャップは、上記吊下げ枠に吊下げられたゴミ袋に回収される
よって、本実施の形態のリサイクルボックス１では、回収物Ａがペットボトルである場合、ラベル及びキャップと、プラスチック容器を分別して回収できる。加えて、ラベル用の円弧孔２２ｂとキャップ用の丸孔２２ｃを分けて設けているので、利用者にラベルとキャップの分別を意識づけさせることができる。なお、回収物Ａがペットボトル以外、例えば、ビンやカンの場合には、円弧孔２２ｂ及び丸孔２２ｃは省略されてもよい。
【００２１】
また、図１，図２に示すように、扉本体２２には、扉２１を閉じた状態で回収容器１０と対向する位置に、透明な窓３１が設けられている。よって、回収容器１０を透明なものにすれば、回収容器１０内に収容された回収物Ａの回収状況や、リサイクルボックス１内に不審物が投入されていないかを外から視認できる。ただし、窓３１は省略されてもよい。
【００２２】
また、詳細には説明しないが、扉本体２２の図１中左側端には、扉２１の外側から操作可能なロック手段としての錠前３２が設けられている。外部から鍵を使って錠前３２を操作して扉２１を閉じた状態でロックできるので、回収容器１０に収容された回収物Ａの盗難を防止できる。なお、ロック手段の構成は特に限定されず、任意に決定されればよい。また、扉２１を閉じた状態に維持できればロック手段は省略されてもよい。
【００２３】
戻って、本実施の形態の閉塞部材２３は、図２，図３，図４に示すように、正八角形状であって扉本体２２の開口部２２ａを背面側から閉塞する閉塞板２３ａと、閉塞板２３ａの各辺から閉塞板２３ａを取り囲むように扉本体２２側に向けて起立する正八角形状の枠体２３ｂと、枠体２３ｂの先端から扉本体２２の背面に沿うように外向きに延びて扉本体２２の背面側に連結される取付片２３ｃとを備える。なお、閉塞板２３ａの形状は、一例であって、正八角形状には限定されず、例えば、円形状や四角形状であってもよい。また、本例では、図４に示すように、扉本体２２の背面には複数のボルト２２ｄが溶接されており、図示しないが、当該ボルト２２ｄを取付片２３ｃに設けられた孔（符示せず）に挿通し、ボルト２２ｄにナットを螺合することで、閉塞部材２３を扉本体２２に連結している。このようにすると、ボルト２２ｄが扉本体２２の正面側から突出しないため、扉２１を閉じた状態では、閉塞部材２３と扉本体２２を分解できない。ただし、閉塞部材２３を扉本体２２に連結する方法は特に限定されず、例えば、閉塞部材２３は扉本体２２に溶接されてもよい。
【００２４】
また、閉塞板２３ａには、図３，図４に示すように、閉塞板２３ａの中心を貫通する嵌合孔２３ｄと、嵌合孔２３ｄを閉塞板２３ａの正面側から囲って扉本体２２側に向けて突出する嵌合筒２３ｅが設けられている。そして、閉塞部材２３は、嵌合孔２３ｄの中心が、扉本体２２の開口部２２ａの中心と同一軸線上に配置されるように、扉本体２２の背面に取付けられている。
【００２５】
さらに、閉塞板２３ａには、正面側から見て嵌合孔２３ｄに対して左上方に、円形の孔Ｐが設けられている。また、閉塞板２３ａの背面側には当該孔Ｐを囲う筒状のガイド筒２３ｆが設けられている。よって、孔Ｐを通じて投入された回収物Ａは、ガイド筒２３ｆによって回収容器１０に案内される。また、図３に示すように、枠体２３ｂの下部には枠体２３ｂの内外を連通する二つの水抜き孔２３ｇ，２３ｇが設けられている。
【００２６】
また、本実施の形態の閉塞部材２３は、図３，図４に示すように、正面側から見て取付片２３ｃの図中左上部から延びて、扉本体２２の円弧孔２２ｂと丸孔２２ｃに面する延長部２３ｈを有する。延長部２３ｈの円弧孔２２ｂと丸孔２２ｃと正対する位置には、円弧孔２２ｂ及び丸孔２２ｃとそれぞれ同一の形状の二つの連通孔２３ｉ，２３ｊが形成されている。さらに、図２，図３に示すように、延長部２３ｈの背面側には、二つの連通孔２３ｉ，２３ｊを仕切る仕切板２３ｋと、二つの連通孔２３ｉ，２３ｊの下方に設けられて斜め下方向に傾斜する傾斜板２３ｌが設けられている。
【００２７】
よって、円弧孔２２ｂと丸孔２２ｃを通じて投入されたラベルやキャップは、傾斜板２３ｌによって前述した吊下げ枠（図示せず）に吊下げられたゴミ袋へ案内される。なお、仕切板２３ｋは省略されてもよいが、仕切板２３ｋを省略した場合、円弧孔２２ｂを通じて投入されたラベルが広がってゴミ袋に蓋をして、丸孔２２ｃを通じて投入されるキャップがゴミ袋に入らなくなってしまう恐れがある。対して、本例のように円弧孔２２ｂと丸孔２２ｃに正対する二つの連通孔２３ｉ，２３ｊの間に仕切板２３ｋが設けられていると、ラベルがゴミ袋に蓋をしてしまうのを抑制できるので、キャップとラベルとをゴミ袋で受け入れできる。なお、キャップ回収用とラベル回収用の二つのゴミ袋を吊下げ枠に設置してもよい。
【００２８】
つづいて、回転板４について詳細に説明する。本実施の形態の回転板４は、図４，図５，図６に示すように、扉本体２２の開口部２２ａよりも直径の大きい円盤状であって、閉塞板２３ａに対して周方向に回転自在に取付けられるとともに、閉塞板２３ａの孔Ｐと対向可能な投入孔３を有する。このように、本実施の形態のリサイクルボックス１では、回転板４が扉２１に対して回転可能に取付けられている。
【００２９】
具体的には、図５，図６に示すように、回転板４の中央部には、回転板４から突出する断面コ字状の凸部４０と、凸部４０の一端から突出するとともに軸心線が回転板４の中心を通る円柱状の回転軸部４１とが設けられており、回転軸部４１の先端側中心にはボルト孔４１ａが形成されている。また、回転軸部４１の軸方向長さは、嵌合筒２３ｅの軸方向長さと閉塞板２３ａの厚みの合計よりも僅かに長くなるように設定されている。
【００３０】
そして、図６に示すように、回転軸部４１を嵌合筒２３ｅと嵌合孔２３ｄに挿入し、回転軸部４１を閉塞板２３ａから僅かに突出させた状態で、ボルト孔４１ａに環状のスプリングワッシャ４２を介してボルト４３を螺合する。この際、スプリングワッシャ４２の外径は、嵌合孔２３ｄの直径よりも大きい。そのため、回転軸部４１の嵌合孔２３ｄからの抜けがスプリングワッシャ４２によって防止されて、回転板４は閉塞板２３ａに連結される。
【００３１】
よって、回転板４は、スプリングワッシャ４２と閉塞板２３ａの間に僅かな隙間がある状態で、閉塞板２３ａに連結されているので、回転板４は閉塞板２３ａに対して周方向に回転自在となっている。さらに、スプリングワッシャ４２によって、回転板４が閉塞板２３ａへ向けて付勢されるので、回転板４がリサイクルボックス１の前後方向にガタつくことなく回転できるとともに、回転板４がリサイクルボックス１の前後方向にガタついて扉本体２２に干渉するのも防止できる。
【００３２】
また、図６に示すように、回転軸部４１と嵌合筒２３ｅ及び嵌合孔２３ｄの間には環状の軸受け４６が介装されている。よって、回転軸部４１と嵌合筒２３ｅの間に生じる摩擦が低減されるので、回転板４は滑らかに回転できる。
【００３３】
また、図６に示すように、回転板４が閉塞板２３ａに回転自在に連結された状態では、凸部４０の突出高さと嵌合筒２３ｅの軸方向長さを合計した長さ分だけ、回転板４と閉塞板２３ａの間には隙間Ｓが形成される。
【００３４】
戻って、本実施の形態の投入孔３は円形の孔である。そして、投入孔３は、投入孔３の中心から回転板４の回転中心までの距離が、孔Ｐの中心から閉塞板２３ａの中心までの距離と等しくなる位置に設けられている。そのため、投入孔３は、回転板４の回転中に孔Ｐと対向可能となっている。なお、投入孔３の大きさや形状は、回収物Ａを通すことのできる限りにおいて、特に限定されない。
【００３５】
また、投入孔３には、図４，図５，図６に示すように、回転板４と閉塞板２３ａの間の隙間Ｓを埋める筒部材４４が装着されている。詳細には、筒部材４４は、図４，図６に示すように、投入孔３に挿入されて隙間Ｓを埋める円筒部４４ａと、円筒部４４ａの反閉塞板側端の外周から径方向に延びて回転板４の正面側に連結される環状板部４４ｂとを有する。
【００３６】
よって、隙間Ｓが筒部材４４の円筒部４４ａによって埋められるので、隙間Ｓを介して回収物Ａやその他のゴミ等が筐体２内に侵入するのを防止できる。また、本例では、図６に示すように、環状板部４４ｂの背面には複数のボルト４４ｃが溶接されており、ボルト４４ｃを回転板４の投入孔３の周囲に設けられた複数の孔（符示せず）に挿通し、図外のナットをボルト４４ｃに螺合することで、筒部材４４を回転板４に連結している。ただし、筒部材４４を回転板４に連結する方法は特に限定されず、例えば、筒部材４４は回転板４に溶接されてもよい。
【００３７】
また、図６に示すように、円筒部４４ａの軸方向長さは、筒部材４４が閉塞板２３ａに干渉しないように、隙間Ｓよりも僅かに短く設定されているため、円筒部４４ａと閉塞板２３ａの間にも僅かな空隙が生じる。そのため、回収物Ａの飲み残しや、雨水等の液体が当該空隙を通過する場合があるが、枠体２３ｂの下部には、水抜き孔２３ｇが設けられているので、液体が枠体２３ｂ内に溜まらないようになっている。
【００３８】
また、図５，図６に示すように、本実施の形態の回転板４の背面側には閉塞板２３ａ側に向けて突出する突起４５が設けられている。対して、本実施の形態の閉塞板２３ａの正面側には、図８に示すように、回転板４が開放位置にある際に、突起４５に当接して回転板４の順方向（図８中時計回り）の回転を規制する第一ストッパ２４と、図７に示すように、回転板４が閉塞位置にある際に、突起４５に当接して回転板４の逆方向（図７中反時計回り）の回転を規制する第二ストッパ２５が設けられている。
【００３９】
具体的には、本実施の形態の突起４５は、図７，図８に示すように、回転板４の背面側における回転板４の回転中心を中心とした周方向で投入孔３の１８０度反対側の位置に設けられている。なお、回転板４の回転中心から投入孔３までの距離と、回転板４の回転中心から突起４５までの距離は異なっていてもよい。
【００４０】
詳細には本実施の形態の突起４５は、図５に示すように、回転板４の背面側に溶接される矩形平板状の固定片４５ａと、固定片４５ａの一端から垂直に延びる矩形平板状の当接片４５ｂとを有し、当接片４５ｂの幅方向が回転板４の直径方向に沿うように配置されている。なお、突起４５は溶接以外の方法で回転板４に連結されてもよい。
【００４１】
また、本実施の形態の第一ストッパ２４は、図７，図８に示すように、閉塞板２３ａの正面側における閉塞板２３ａの嵌合孔２３ｄを中心とした周方向で孔Ｐの１８０度反対側（図中右下方）に設けられている。さらに、図８に示すように、第一ストッパ２４の閉塞板２３ａにおける回転板４の回転中心となる嵌合孔２３ｄからの距離は、突起４５と当接可能な距離に設定されている。
【００４２】
詳細には本実施の形態の第一ストッパ２４は、図３に示すように、閉塞板２３ａの正面側にボルトとナットによって連結される矩形平板状の固定片２４ａと、固定片２４ａの一端から垂直に延びる垂直片２４ｂとを有し、垂直片２４ｂの突起４５と当接する側の面に、ゴム製のクッション２６が固定されている。なお、第一ストッパ２４は、ボルトとナット以外の方法で閉塞板２３ａに連結されてもよい。
【００４３】
よって、図８に示すように、回転板４が投入孔３と孔Ｐが対向する開放位置にある場合には、突起４５がクッション２６を介して第一ストッパ２４に当接するため、回転板４の図中時計回りが規制される。
【００４４】
また、本実施の形態の第二ストッパ２５は、図３に示すように、閉塞板２３ａと枠体２３ｂに溶接されるＬ字状の固定片２５ａと、固定片２５ａの図３中右端から起立して回転板４側に向けて突出する当接片２５ｂとを有するとともに、閉塞板２３ａの正面側における閉塞板２３ａの嵌合孔２３ｄの真上に設けられている。さらに、図７に示すように、第二ストッパ２５の閉塞板２３ａにおける回転板４の回転中心となる嵌合孔２３ｄからの距離は、突起４５と当接可能な距離に設定されている。
【００４５】
よって、図７に示すように、回転板４が、投入孔３と孔Ｐが対向しない閉塞位置にある場合には、突起４５が第二ストッパ２５に当接するため、回転板４の図中反時計回りが規制される。
【００４６】
以上の通り、本実施の形態の回転板４は、突起４５が第一ストッパ２４と第二ストッパ２５に当接する範囲（図７中矢印で示す範囲）で回転可能となっている。そして、突起４５が第一ストッパ２４に当接する際には、回転板４は投入孔３と孔Ｐが対向する開放位置にあり、突起４５が第二ストッパ２５に当接する際には、回転板４は投入孔３と孔Ｐが対向しない閉塞位置にあるので、回転板４は孔Ｐを開閉できるようになっている。
【００４７】
なお、上述した、回転板４に設けられる突起４５と、閉塞板２３ａに設けられる第一ストッパ２４及び第二ストッパ２５の位置や形状は、一例であって、回転板４が開放位置にある際に、回転板４の順方向の回転を規制し、回転板４が閉塞位置にある際に、回転板４の逆方向の回転を規制するようになっていれば、特に限定されない。また、突起４５、第一ストッパ２４、第二ストッパ２５は、省略されてもよい。
【００４８】
また、図５，図７に示すように、回転板４の背面側の投入孔３の付近であって回転板４の回転中心から偏心した位置には、付勢手段としての円柱状の重り５０が溶接されており、回転板４の重心は回転板４の回転中心からずれた位置にあり、回転板４には重力によって回転板４の可動範囲では回転板４を図中反時計回りに回転させる回転モーメントが作用する。
【００４９】
そのため、本実施の形態の回転板４は、重力以外の力が作用しない自然状態では、図７に示すように、回転板４は、突起４５が第二ストッパ２５に当接する位置に位置決めされて、投入孔３が回転板４の回転中心Ｂの真下に配置される閉塞位置で停止する。
【００５０】
ここで、自然状態で回転板４を図７に示す閉塞位置に位置決めするための重り５０の設置位置について詳細に説明する。
【００５１】
前述したように、回転板４は、反時計回りに回転して開放位置から閉塞位置へ戻る。そのため、自然状態で、回転板４を閉塞位置に位置決めするためには、回転板４の重心は、図８に示す開放位置にある回転板４の回転中心Ｂを通る鉛直方向の仮想線である鉛直線Ｃで区切られた回転板４の左側半分と、図７に示す閉塞位置にある回転板４の回転中心Ｂを通る鉛直線Ｃで区切られた回転板４の左側半分とが重複する範囲にある必要がある。
【００５２】
さらに、図７に示すように、本実施の形態のリサイクルボックス１においては、回転板４の回転中心Ｂを通る水平な仮想線である水平線Ｄと、孔Ｐの中心と回転板４の回転中心Ｂを結ぶ線Ｅとがなす角度Ｆは、約２７度となっている。
【００５３】
したがって、回転板４の重心は、投入孔３が回転中心Ｂの真下にある状態において、鉛直線Ｃの下半分から図７中左へ中心角が約６３度の扇型となる範囲Ｇ内にあればよい。
【００５４】
よって、本実施の形態の重り５０は、回転板４の重心が範囲Ｇ内に位置するように、回転板４に配置されていればよい。このように、重り５０の回転板４への設置範囲は、孔Ｐの位置と突起４５が第二ストッパ２５に当接する回転板４の閉塞位置との関係により決定される。
【００５５】
なお、本実施の形態では、突起４５が第二ストッパ２５に当接している位置を回転板４の閉塞位置として説明しているが、回転板４の閉塞位置は、投入孔３と孔Ｐが対向しない位置、つまり、回転板４が開放位置以外の位置であればよい。したがって、第二ストッパ２５が省略される場合には、重り５０は、開放位置まで回転させられた回転板４を開放位置から回転板４で孔Ｐを閉塞できる位置へ戻すことができる位置に配置されていればよい。
【００５６】
また、重り５０の突出高さは、回転板４と閉塞板２３ａの間の隙間Ｓの幅よりも短くなっている。そのため、回転板４を回す際に、重り５０が閉塞板２３ａに干渉しない。なお、重り５０の形状や材質は特に限定されない。また、重り５０は溶接以外の方法で回転板４に取付けられてもよい。
【００５７】
また、投入孔３に挿入されて装着されている筒部材４４の質量を調整して、筒部材４４に重り５０の機能を兼ねさせてもよい。このようにすれば、重り５０の取付けを省略できるので、部品点数を削減できるとともに、リサイクルボックス１の組み立て工数も減らすことができる。
【００５８】
なお、本実施の形態では、回転板４を閉塞位置へ付勢する付勢手段として、重り５０を利用しているが、付勢手段は重り５０には限定されない。図示しないが、例えば、付勢手段をねじりコイルばねとして、ねじりコイルばねのコイル部分の内方に嵌合筒２３ｅを挿入し、ねじりコイルばねの一端を回転板４に連結し、ねじりコイルばねの他端を閉塞板２３ａに連結して、ねじりコイルばねの付勢力で回転板４を閉塞位置に付勢するようにしてもよい。
【００５９】
あるいは、付勢手段をコイルばねとして、一端を回転板４に固定し、他端を閉塞板２３ａに固定するとともに、回転板４が開放位置にあるとコイルばねが伸長又は圧縮され、コイルばねが回転板４を閉塞位置に戻す弾発力を発揮するようにしてもよい。
【００６０】
つづいて、本実施の形態の利用者が回収物Ａをリサイクルボックス１へ投入する方法について詳細に説明する。まず、上述したように、本実施の形態の回転板４は、付勢手段としての重り５０によって閉塞位置へ付勢されているので、利用者が回収物Ａを投入する際には、投入孔３と孔Ｐは対向しておらず、孔Ｐが回転板４により閉塞されているため、回収物Ａを投入できない状態（図７に示す状態）となっている。
【００６１】
この状態で、利用者は、図９に示すように、回収物Ａ（図中ではペットボトル）を投入孔３に挿入する。すると、回収物Ａの側部が投入孔３の内周に対向するので、利用者は回収物Ａを取手として、回転板４を回転操作できる。この際、回転板４と閉塞板２３ａの間には、隙間Ｓが形成されているので、回収物Ａを隙間Ｓ分だけ投入孔３に深く挿入でき、回転板４を回転操作しやすくなっている。さらに、回転板４が閉塞位置にある状態では、図７に示すように、突起４５が第一ストッパ２４に当接して回転板４の逆方向の回転が規制されているため、利用者が誤って回転板４を逆方向に回転させるのを防止できる。
【００６２】
なお、図示しないが、回転板４の正面側に、利用者に対して回転板４を回転させ得る方向を認知させるための矢印等を表示しておくと、利用者が誤って回転板４を逆方向に回転させてしまうのをより防止できる。
【００６３】
そして、利用者が、回収物Ａを取手として、図８に示すように、回転板４を投入孔３が孔Ｐに対向する開放位置まで順方向に回転させると、孔Ｐに投入孔３が対向するので、利用者は、孔Ｐを介して回収物Ａを投入できる。このように本実施の形態のリサイクルボックス１では、利用者は回収物Ａを取手として回転板４を回転操作できるので、リサイクルボックス１に一切触れることなく、回収物Ａを投入でき、非常に感染管理的である。また、回転板４が開放位置にある状態では、図８に示すように、突起４５が第一ストッパ２４に当接して回転板４の順方向の回転が規制されるため、投入孔３と孔Ｐの位置決めを容易に行うことができる。
【００６４】
ここで、回転板４を閉塞位置から開放位置へ回転する際の回転角度は約１１７度に設定されている。このように、回転板４を閉塞位置から開放位置へ回転する際の回転角度を９０度以上１８０度以下の範囲に設定すると、利用者は、回転板４を閉塞位置から開放位置へ回転させる際に、簡単すぎず難しすぎない程よい操作感を得ることができる。
【００６５】
その後、回転板４は、付勢手段としての重り５０により、自動的に元の閉塞位置に戻る。なお、本実施の形態では、回収物Ａをペットボトルとして説明しているが、回収物Ａは、投入孔３に挿入された際に、回転板４を回転操作可能な取手として機能するものであればよく、ビンやカン等であってもよい。また、投入孔３の大きさを目的の回収物Ａの大きさに合わせれば、回収物Ａの種類を設定できる。
【００６６】
前述したように、本実施の形態のリサイクルボックス１は、箱状の筐体２と、筐体２の側壁としての扉２１に設けられて筐体２の内外を連通する孔Ｐと、投入孔３を有し筐体２の孔Ｐが設けられる扉２１に回転可能に取付けられて、孔Ｐに投入孔３を対向させる開放位置では孔Ｐと投入孔３を連通させるとともに、閉塞位置では孔Ｐに投入孔３を対向させずに孔Ｐを閉塞する回転板４と、回転板４を閉塞位置へ付勢する付勢手段とを備えている。
【００６７】
この構成によると、利用者が回収物Ａを投入する際には、回転板４が閉塞位置にあるので、利用者自身が回転板４を閉塞位置から開放位置まで回して、投入孔３を孔Ｐに対向させる必要がある。さらに、本実施の形態では、回転板４が閉塞位置にある状態で、回収物Ａを投入孔３に挿入すると、回収物Ａの側部が投入孔３の内周面に対向するので、回収物Ａを取手にして回転板４を回転操作できる。
また、本実施の形態のリサイクルボックス１に、回転板４を回転操作する取手として利用できない物を入れようとすると、利用者は回転板４に直接触れて回転板４を回す必要があるため、取手として利用できない物（回収物Ａとして主に想定されるペットボトル、ビン、カン以外の物）が、リサイクルボックス１に投入されるのを抑制できる。よって、利用者がリサイクルボックス１に物を投入する心理的なハードルが上がるので、回収物Ａ以外の物の投入を抑制できる。
【００６８】
さらに、利用者は回収物Ａを投入する際に、リサイクルボックス１に一切触れる必要がないので、非常に感染管理的である。
【００６９】
なお、本実施の形態では、孔Ｐと回転板４は筐体２の側壁としての扉２１に設けられているが、孔Ｐと回転板４は筐体２の扉２１以外の側壁２０ｂ，２０ｃ，２０ｄ又は天壁２０ｅに設けられていてもよい。ただし、本実施の形態のように、開閉可能な扉２１に孔Ｐと回転板４を設けた場合、扉２１を開くと回転板４の背面側を見ることができるので、ボルト４３が緩んだ場合などに、回転板４のメンテナンスを容易に行うことができる。
【００７０】
また、本実施の形態では、回転板４と孔Ｐの間には隙間Ｓが形成されている。この構成によると、回転板４が閉塞位置にある状態で、回収物Ａを隙間Ｓの分だけ投入孔３に深くまで挿入できるので、回収物Ａを取手として回転板４を回転操作しやすくなる。
【００７１】
また、本実施の形態のリサイクルボックス１は、回転板４の投入孔３を筐体２側から囲うとともに隙間Ｓを埋める筒部材４４を有している。この構成によると、隙間Ｓに回収物Ａが入り込むことを防止でき、筐体２内に回収物Ａを受け入れできる。
【００７２】
また、本実施の形態のリサイクルボックス１は、回転板４の背面側に設けられる突起４５と、筐体２に設けられ、回転板４が開放位置にある際に、突起４５に当接して回転板４の順方向の回転を規制する第一ストッパ２４とを有している。この構成によると、利用者が回転板４を開放位置まで回転させた時点で、回転板４の回転が止まるので、投入孔３と孔Ｐの位置決めが容易となる。
【００７３】
また、本実施の形態の突起４５は、第一ストッパ２４と当接する際の衝撃を緩和するクッション２６を有している。この構成によると、利用者が回転板４を勢いよく回したとしても、突起４５が第一ストッパ２４に当接する際の衝撃をクッション２６によって緩和できるので、利用者に衝撃が伝わるのを抑制できる。加えて、第一ストッパ２４と突起４５が当接時に破損してしまうのも防止できる。なお、本実施の形態では、クッション２６は、第一ストッパ２４に設けられているが、突起４５に設けられていてもよい。
【００７４】
また、本実施の形態のリサイクルボックス１は、筐体２に設けられ、回転板４が閉塞位置にある際に、突起４５に当接して回転板４の逆方向の回転を規制する第二ストッパ２５を有している。この構成によると、利用者が誤って回転板４を逆回転させてしまうのを防止できるので、リサイクルボックス１の利便性が向上する。また、第一ストッパ２４に当接する突起４５を共有できるので、部品点数の増加が最小限で済む。
【００７５】
なお、本実施の形態では、突起４５が筐体２に設けられ、第一ストッパ２４及び第二ストッパ２５が回転板４の背面側に設けられているが、突起４５を回転板４の背面側に設け、第一ストッパ２４及び第二ストッパ２５を回転板４の背面側に設けるようにしてもよい。
【００７６】
また、本実施の形態では、付勢手段が回転板４の回転中心から偏心した位置に取付けられて回転板４を閉塞位置へ戻す重り５０である。この構成によると、回転板が重力により自動的に閉塞位置へ戻るので、複雑な構造を必要としない。
【００７７】
また、重り５０の質量や回転板４に対する取付位置を調整することで、回転板４が閉塞位置へ戻る際の回転板４の回転速度を、利用者が扉２１と回転板４の間に手を勢いよく挟んでしまうことがない程度の速度に調整できる。
【００７８】
また、回転板４が閉塞位置から開放位置へ回転する際の回転角度は９０度から１８０度に設定されるとよい。この構成によると、利用者は、回転板４を閉塞位置から開放位置まで回す際に、簡単すぎず難しすぎない程よい操作感を得ることができる。よって、回収物Ａを投入する際の利便性を損ない過ぎることなく、回収物Ａ以外の物が投入されるのを抑制できる。ただし、回転板４が閉塞位置から開放位置へ回転する際の回転角度は、特に限定されず、９０度より小さくても、１８０度より大きくなっていてもよい。
【００７９】
以上、本考案の好ましい実施の形態を詳細に説明したが、実用新案登録請求の範囲から逸脱なく改造、変形及び変更ができるのは当然である。
【符号の説明】
【００８０】
１・・・リサイクルボックス、２・・・筐体、３・・・投入孔、４・・・回転板、２０ｂ，２０ｃ，２０ｄ・・・側壁、２０ｅ・・・天壁、２１・・・扉（側壁）、２４・・・第一ストッパ、２５・・・第二ストッパ、２６・・・クッション、４４・・・筒部材、４５・・・突起、５０・・・重り（付勢手段）、Ｐ・・・孔、Ｓ・・・隙間
【図１】
0003231275.tif 000003
【図２】
0003231275.tif 000004
【図３】
0003231275.tif 000005
【図４】
0003231275.tif 000006
【図５】
0003231275.tif 000007
【図６】
0003231275.tif 000008
【図７】
0003231275.tif 000009
【図８】
0003231275.tif 000010
【図９】
0003231275.tif 000011